(57)【要約】      （修正有）【課題】肌対向面に位置する一対のカフシートが着用者の鼠蹊部に密着するとともに、着用中において吸収体が垂れ下がるのを防止することができる使い捨て着用物品を提供する。【解決手段】カフシート６０の遠位縁部６４には、遠位弾性体６５が伸長状態で収縮可能に取り付けられる。裏面シート３０と防漏シート７０との間には、前後ウエスト弾性体９１，９２と前後レッグ弾性体９３，９４とが取り付けられる。前後ウエスト弾性体９１，９２の一部は、吸収体４０の非肌対向面に重なる。前後レッグ弾性体９３，９４は、シャーシの両側縁に沿って延びる両側縁部分９３ａ，９４ａと、両側縁部分９３ａ，９４ａの間であって仮想縦中心線を横切って横方向へ延びる中央部分９３ｂ，９４ｂとを有し、少なくとも中央部分９３ｂ，９４ｂは、吸収体４０に重なるとともに、中央部分９３ｂ，９４ｂが交点９５において互いに交差されている。【選択図】図３
2013081718.tif 000002
【特許請求の範囲】
【請求項１】
縦方向および横方向を有し、肌対向面およびその反対側である非肌対向面と、前後ウエスト域と、これら前後ウエスト域間に位置するクロッチ域と、前記横方向における寸法を二等分する仮想縦中心線とを有するシャーシと、少なくとも前記クロッチ域に位置する吸収体と、前記シャーシの前記肌対向面に位置し前記横方向へ離間して取り付けられた一対のカフシートと、前記シャーシの両側縁に沿って取り付けられたレッグ弾性体とを含む使い捨て着用物品において、
前記カフシートは、前記シャーシに接合された近位縁部と、前記シャーシから離間可能にされた遠位縁部と、前記近位縁部と前記遠位縁部との間に位置し前記縦方向へ延びる仮想折曲線とを有し、
前記近位縁部は、前記縦方向へ連続して延びる第１接合部と、前記第１接合部よりも前記横方向内側へ位置し前記カフシートの前後端縁に沿って形成されるとともに、前記縦方向へ離間された第２接合部とによって、前記シャーシに接合され、
前記遠位縁部は、前記第２接合部に重なって位置するとともに前記縦方向へ離間された第３接合部によって前記近位縁部に接合され、前記第３接合部の前記縦方向間には、少なくとも３本の遠位弾性体が前記縦方向へ延びるとともに伸長状態で収縮可能に取り付けられ、
前記第２および第３接合部の少なくとも一部は、前記吸収体に重なって形成され、
前記レッグ弾性体は、前記シャーシの両側縁に沿って延びる両側縁部分と、前記両側縁部分の間を前記横方向へ延びる中央部分とを有し、前記中央部分は、前記吸収体に重なるとともに、前記遠位縁部よりも前記横方向内側に延在し、
前記前後ウエスト域には、前記横方向へ延びるウエスト弾性体が伸長状態で収縮可能に取り付けられ、
前記吸収体は、前記クロッチ域から前記前後ウエスト域へ延びるとともに、前記ウエスト弾性体に重なることを特徴とする前記使い捨て着用物品。
【請求項２】
前記レッグ弾性体は、前記中央部分が前記仮想縦中心線を横切って前記横方向に連続して延びる請求項１記載の使い捨て着用物品。
【請求項３】
前記遠位弾性体は、前記カフシートによって形成されたスリーブ内に取り付けられる請求項１または２記載の使い捨て着用物品。
【請求項４】
前記レッグ弾性体は、前記前ウエスト域から前記クロッチ域へ向かって延びる前レッグ弾性体と、前記後ウエスト域から前記クロッチ域へ向かって延びる後レッグ弾性体とを含む請求項１〜３のいずれかに記載の使い捨て着用物品。
【請求項５】
前記前レッグ弾性体と、前記後レッグ弾性体とは、前記クロッチ域において、互いに交差する請求項４に記載の使い捨て着用物品。
【請求項６】
前記ウエスト弾性体は、前記横方向へ連続して延びるとともに、前記吸収体の非肌対向面に重なって取り付けられる請求項１〜５のいずれかに記載の使い捨て着用物品。
【請求項７】
前記シャーシは、前記非肌対向面に位置する裏面シートと、前記吸収体の前記裏面シートに対向する面とは反対の面に積層される身体側ライナとを含む請求項１〜６のいずれかに記載の使い捨て着用物品。
【請求項８】
前記カフシートは、前記身体側ライナに接合される請求項７記載の使い捨て着用物品。
【請求項９】
前記肌対向面には、中央に開口部が形成されたカバーシートが配置され、前記カフシートは、その一部が前記開口部から露出する請求項１〜８のいずれかに記載の使い捨て着用物品。
【発明の詳細な説明】
【技術分野】
【０００１】
この発明は、使い捨て着用物品に関し、より詳しくは、縦方向へ延びる一対のカフシートを有する使い捨ておむつ、使い捨てのトイレット・トレーニングパンツ、使い捨て失禁パンツ、使い捨ての生理用パンツ等の使い捨て着用物品に関する。
【背景技術】
【０００２】
従来、縦方向へ延びる一対のカフシートを有する着用物品は公知である。例えば、特許文献１には、表面シートと防漏シートと、吸収性本体と、吸収性本体の外側に位置する外層体とを有する使い捨ておむつが開示されている。吸収性本体には、立体ガード（カフシート）が設けられ、立体ガード弾性部材の伸縮によって立体ガードが起立して、吸収性本体の幅方向への液の流出が阻止される。
【先行技術文献】
【特許文献】
【０００３】
【特許文献１】特開２００２−２９１７９８号公報（ＪＰ２００２−２９１７９８Ａ）
【発明の概要】
【発明が解決しようとする課題】
【０００４】
上記のような特許文献１において、立体ガードは、幅方向外側が吸収性本体に固定され、幅方向内側が固定されずに立体ガード弾性部材が取り付けられている。立体ガード弾性部材が取り付けられた幅方向内側が、着用者の鼠蹊部に密着し排泄物の漏れを防止している。しかし、吸収性本体に排泄物が吸収されると、吸収性本体が重くなり、下方へと垂れ下がるとともに、立体ガードも下方へと引っ張られ、内側が着用者の鼠蹊部から離間してしまう。
【０００５】
この発明では、肌対向面に位置する一対のカフシートが着用者の鼠蹊部に密着するとともに、着用中において吸収体が垂れ下がるのを防止することができる使い捨て着用物品を提供することを課題とする。
【課題を解決するための手段】
【０００６】
この発明は、縦方向および横方向を有し、肌対向面およびその反対側である非肌対向面と、前後ウエスト域と、これら前後ウエスト域間に位置するクロッチ域と、前記横方向における寸法を二等分する仮想縦中心線とを有するシャーシと、少なくとも前記クロッチ域に位置する吸収体と、前記シャーシの前記肌対向面に位置し前記横方向へ離間して取り付けられた一対のカフシートと、前記シャーシの両側縁に沿って取り付けられたレッグ弾性体とを含む使い捨て着用物品の改良にかかわる。
【０００７】
この発明は、前記使い捨て着用物品において、前記カフシートは、前記シャーシに接合された近位縁部と、前記シャーシから離間可能にされた遠位縁部と、前記近位縁部と前記遠位縁部との間に位置し前記縦方向へ延びる仮想折曲線とを有し、前記近位縁部は、前記縦方向へ連続して延びる第１接合部と、前記第１接合部よりも前記横方向内側へ位置し前記カフシートの前後端縁に沿って形成されるとともに、前記縦方向へ離間された第２接合部とによって、前記シャーシに接合され、前記遠位縁部は、前記第２接合部に重なって位置するとともに前記縦方向へ離間された第３接合部によって前記近位縁部に接合され、前記第３接合部の前記縦方向間には、少なくとも３本の遠位弾性体が前記縦方向へ延びるとともに伸長状態で収縮可能に取り付けられ、前記第２および第３接合部の少なくとも一部は、前記吸収体に重なって形成され、前記レッグ弾性体は、前記シャーシの両側縁に沿って延びる両側縁部分と、前記両側縁部分の間を前記横方向へ延びる中央部分とを有し、前記中央部分は、前記吸収体に重なるとともに、前記遠位縁部よりも前記横方向内側に延在し、前記前後ウエスト域には、前記横方向へ延びるウエスト弾性体が伸長状態で収縮可能に取り付けられ、前記吸収体は、前記クロッチ域から前記前後ウエスト域へ延びるとともに、前記ウエスト弾性体に重なることを特徴とする。
【発明の効果】
【０００８】
この発明の特にそのひとつ以上の実施態様によれば、カフシートの遠位縁部に少なくとも３本の遠位弾性体を伸長状態で収縮可能に取り付けることとしたので、遠位縁部が着用者の鼠蹊部に密着可能となるとともに、遠位縁部が着用者によって押し付けられたとしても、押し付けられることによる遠位縁部の移動は、遠位弾性体によって緩和され、遠位縁部全体が大きく移動することがない。したがって、遠位縁部が着用者の鼠蹊部から離間することがなく、密着した状態を維持できる。また、レッグ弾性体が仮想縦中心線を横切って延びる中央部分を有し、この中央部分によって吸収体が着用者側へと持ち上げられるから、吸収体が垂れ下がることがなく、これに伴う遠位部分の鼠蹊部からの離間を未然に防止することができる。さらに、吸収体は、前後ウエスト弾性体によって、着用者の身体側へと押し付けられるから、より一層、吸収体を垂れ下がり難くすることができる。
【図面の簡単な説明】
【０００９】
【図１】使い捨て着用物品の一実施形態である使い捨ておむつの着用状態を示す斜視図。
【図２】展開したおむつの肌対向面から見た平面図。
【図３】おむつの分解斜視図。
【図４】図２のＩＶ−ＩＶ線拡大断面図。
【図５】図２のＶ−Ｖ線拡大断面図。
【図６】おむつの一部構成を示す概要図。
【図７】おむつの着用状態における図４と同様の断面図。
【発明を実施するための形態】
【００１０】
図１〜５を参照すると、おむつ１は、縦方向Ｙおよび横方向Ｘを有し、前ウエスト域１１および後ウエスト域１２、これら前後ウエスト域１１，１２間に位置するクロッチ域１３と、横方向Ｘへ延びる前後端縁１４，１５と、縦方向Ｙへ延びる両側縁１６とを有する。なお、図２〜６において、各弾性体は、その収縮力に抗して伸長させた状態で示している。
【００１１】
おむつ１は、横方向Ｘにおける寸法を二等分する仮想縦中心線Ｐ−Ｐと、縦方向Ｙにおける寸法を二等分する仮想横中心線Ｑ−Ｑとを有し、仮想縦中心線Ｐ−Ｐにおいてほぼ対称にされている。対称にされた同様の構成要素については、図面においてその一部の符号を省略している。
【００１２】
おむつ１は、肌対向面に位置する難透液性または不透液性のカバーシート２０と、その反対側である非肌対向面に位置する裏面シート３０と、これらシート２０，３０の間に位置する吸収体４０と、カバーシート２０と吸収体４０の間に位置する透液性の身体側ライナ５０と、身体側ライナ５０に取り付けられた一対のカフシート６０と、吸収体４０および裏面シート３０の間に位置する難透液性または不透液性の防漏シート７０とを含む。身体側ライナ５０および裏面シート３０によって、実施形態にかかるおむつのシャーシ１０を形成している。
【００１３】
裏面シート３０としては、例えば、質量約１０〜３０ｇ／ｍ２のスパンボンド・メルトブローン・スパンボンド（以下ＳＭＳとする）繊維不織またはスパンボンド繊維不織布を用いることができる。
【００１４】
裏面シート３０には、図示しないホットメルト接着剤等の公知の接合手段によって、防漏シート７０が接合されている。防漏シート７０として、難透液性、好ましくは、不透液性かつ通気性のプラスチックフィルムを用いることができる。防漏シート７０は、吸収体４０よりもその面積が大きくされ尿等の排泄物がおむつ１から漏れるのを防止している。
【００１５】
防漏シート７０には、図示しないホットメルト接着剤等の公知の接合手段によって、吸収体４０が取り付けられている。吸収体４０は、クロッチ域１３から前後ウエスト域１１，１２へと延出して、比較的広範囲で尿等の排泄物を吸収することができるようにしてある。吸収体４０は、吸液性の芯材をティッシュペーパ等の液拡散性の被覆シートで覆うことによって形成されている。芯材として木材フラッフパルプ、高吸収性ポリマー粒子、またはこれらの混合物を用いることができる。芯材と被覆シートとは、図示しないホットメルト接着剤等の公知の接合手段を用いて互いに接合することができる。
【００１６】
吸収体４０には、図示しない、間欠的に塗布したホットメルト接着剤等の公知の接合手段によって、身体側ライナ５０が取り付けられている。身体側ライナ５０としては、例えば、質量約１５〜３５ｇ／ｍ２、好ましくは約１８〜２３ｇ／ｍ２のスパンボンド繊維不織布またはポイントボンド繊維不織布を用いることができる。身体側ライナ５０は、ほぼ矩形を有し、裏面シート３０よりも縦方向Ｙおよび横方向Ｘにおいてその寸法が小さくされるとともに、吸収体４０のほぼ全面を覆う大きさにされている。
【００１７】
身体側ライナ５０には、横方向Ｘへ離間する一対のカフシート６０が取り付けられている。カフシート６０としては、例えば、質量約１０〜３０ｇ／ｍ２のＳＭＳ繊維不織布を用いることができる。図６は、カフシート６０、身体側ライナ５０および吸収体４０の積層状態を示した図であって、説明のため一部破断している。また、これら構成要素は仮想縦中心線Ｐ−Ｐにおいて対称であるので、その一部を省略している。カフシート６０は、横方向Ｘへ延びる前後端縁６１，６２と、縦方向Ｙへ延びるとともに、身体側ライナ５０に接合される近位縁部６３と、身体側ライナ５０から離間可能な遠位縁部６４とを有する。カフシート６０の前後端縁６１，６２は、身体側ライナ５０の前後端縁５１，５２と一致するように重ね合わせられている。
【００１８】
図５および図６に示したように、カフシート６０の近位縁部６３と遠位縁部６４との間には、仮想折曲線６６が縦方向Ｙへ延びている。仮想折曲線６６に沿って遠位縁部６４が近位縁部６３に重なるように折り曲げられている。上記のような近位縁部６３は、縦方向Ｙへ連続して延びる第１接合部８１と、第１接合部８１よりも横方向Ｘ外側に位置する第２前後接合部８２，８３によって身体側ライナ５０に接合されている。第２前後接合部８２，８３は、カフシート６０の前後端縁６１，６２に沿って形成され、縦方向Ｙへ離間されている。第２前後接合部８２，８３は、少なくともその一部が吸収体４０の芯材と重なる位置に形成されている。
【００１９】
折り曲げられて重なった遠位縁部６４と近位縁部６３との間には、第３接合部８４が形成され、カフシート６０を介して互いに接合されている。第３接合部８４は、第２前後接合部８２，８３にカフシート６０を介して重なるとともに、縦方向Ｙへ離間して形成されている。
【００２０】
遠位縁部６４には、カフシート６０によってスリーブが形成され、スリーブ内に縦方向Ｙへ延びる遠位弾性体６５が伸長状態で収縮可能に取り付けられる。遠位弾性体６５は、第１〜第３弾性体６５ａ，６５ｂ，６５ｃによって構成され、第１弾性体６５ａは、スリーブ状に折り返されたカフシート６０の端部に位置されている。
【００２１】
図４は、左側が遠位弾性体６５をその収縮力に抗して伸長させた状態を示し、右側が遠位弾性体６５の収縮力によって遠位縁部６４が身体側ライナ５０から離間した状態を示している。また、図４の右側においては、後レッグ弾性体９４も収縮し、シャーシ１０が図面上方へと持ち上げられている。遠位縁部６４は、第２前後接合部８２，８３および第３接合部８４の縦方向Ｙにおける間では、身体側ライナ５０から離間可能にされているので、図４右側に示したように、遠位弾性体６５の収縮によって、身体側ライナ５０から起立するように離間する。
【００２２】
図７は、おむつ１の着用状態における図４と同様の図である。図７の二点鎖線が着用者の股下部分を示している。図示したように、おむつ１の着用状態においては、カフシート６０の遠位縁部６４が身体側ライナ５０から離間し、着用者の肌に向かって起立する。そうすると、遠位弾性体６５が取り付けられた領域が、第１弾性体６５ａを外側に向けて面で着用者の股下に接触する。このような状態において、着用者が動いたりすると、遠位縁部６４が図面横方向内側へ向かって押し付けられることがある。すなわち、第１弾性体６５ａが第２弾性体６５ｂ側へと押し付けられる。しかし、遠位縁部６４は、面で着用者に接触しているので、起立した遠位縁部６４が倒れにくく、着用者に密着した状態を維持することができる。しかも、第２および第３弾性体６５ｂ，６５ｃが、それぞれ伸長されているから、第１弾性体６５ａが第２弾性体６５ｂ側に押し付けられたとしても、第２弾性体６５ｂが第３弾性体６５ｃ側に屈曲されるだけで、遠位縁部６４全体が横方向Ｘ内側へと移動し、着用者から離間されるのを防止することができる。また、遠位縁部６４が倒れにくいので、カフシート６０の横方向Ｘの離間状態を維持することができ、排泄物の吸収領域を広く維持することができる。
【００２３】
仮に、遠位弾性体６５が第１および第２弾性体の２本であった場合には、第１弾性体が図面横方向内側に押し付けられると、第２弾性体との間のシートを介して、その移動が第２弾性体に伝わり、第２弾性体も内側へと移動し、結果として、遠位縁部６４全体が内側へと倒れてしまう。しかし、遠位弾性体６５が３本以上取り付けられることによって、第１弾性体の移動が第３弾性体以降へと伝わるのを防止することができ、遠位縁部６４全体が内側に倒れるのを防止することができる。したがって、遠位弾性体６５は、３本以上であれば何本取り付けてもよい。
【００２４】
遠位縁部６４は、遠位弾性体６５が取り付けられるその端部においては二枚のシートによって形成され、その他の部分は一枚のシートによって形成されているから、これらの間には剛性差が生じ、その境界で遠位縁部６４は折れ曲がりやすい。したがって、より一層、遠位縁部６４は、面で着用者に接触することができる。
【００２５】
図２および図３に示したように、カフシート６０の肌対向面には、カバーシート２０が取り付けられている。カバーシート２０としては、例えば、質量約１５〜３５ｇ／ｍ２、好ましくは約１８〜２３ｇ／ｍ２のスパンボンド繊維不織布またはポイントボンド繊維不織布を用いることができる。カバーシート２０は、その外形が裏面シート３０とほぼ同形同大であり、その中央には、厚さ方向へ貫通する開口部２１が形成されている。カバーシート２０は、カフシート６０に形成された第１接合部８１、第２前後接合部８２，８３、第３接合部８４に重なり、開口部２１は、これら接合部が開口部２１内へと延出しないような大きさにされている。また、開口部２１は、身体側ライナ５０よりもその面積が小さくされ、開口部２１から、カフシート６０の遠位縁部６４の一部が露出し、着用時には着用者の肌側へ突出する。
【００２６】
排泄物は、カバーシート２０の開口部２１から、カフシート６０間を介して吸収体４０に向かって排泄される。カバーシート２０は、その周縁が裏面シート３０に図示しないホットメルト接着剤等の公知の接合手段によって、接合されている。したがって、排泄物がカフシート６０とカバーシート２０との間に流出しても、カバーシート２０によって漏れるのを防止することができる。また、排泄物をカバーシート２０と裏面シート３０との間で保持することによって、排泄物が着用者の肌に付着するのを防止し、着用者の肌かぶれを予防することができる。
【００２７】
カフシート６０の前後端縁６１，６２近傍において、カバーシート２０が重なることによって、遠位縁部６４の起立が妨げられるが、カバーシート２０は遠位縁部６４の第２前後接合部８２，８３に重なるように配置されている。したがって、カバーシート２０が遠位縁部６４の起立性に大きく影響することがない。
【００２８】
裏面シート３０と防漏シート７０との間には、前後ウエスト弾性体９１，９２と前後レッグ弾性体９３，９４とが取り付けられる。前後ウエスト弾性体９１，９２としては、太さ約３１０〜９４０ｄｔｅｘのストランド状またはストリング状のものを用いることができる。前後ウエスト弾性体９１，９２は、前後ウエスト域１１，１２において横方向Ｘへ伸長状態で収縮可能に取り付けられ、縦方向Ｙへ離間して複数本取り付けられる。これら前後ウエスト弾性体９１，９２は、横方向Ｘへ切断されることなく、連続して延びている。吸収体４０は、クロッチ域１３から前後ウエスト域１１，１２へと延びているから、少なくとも前後ウエスト弾性体９１，９２の一部は、吸収体４０の非肌対向面に重なる。したがって、前後ウエスト弾性体９１，９２の収縮力によって吸収体４０の前後端縁部分４１，４２が着用者の肌側へと押し付けられ、排泄物がおむつ１の前後端縁１４，１５から漏れるのを防止することができる。
【００２９】
前後レッグ弾性体９３，９４としては、太さ約４７０〜９４０ｄｔｅｘのストランド状またはストリング状のものを用いることができる。前後レッグ弾性体９３，９４は、シャーシ１０の両側縁１６に沿って延びる両側縁部分９３ａ，９４ａと、両側縁部分９３ａ，９４ａの間であって仮想縦中心線Ｐ−Ｐを横切って横方向Ｘへ延びる中央部分９３ｂ，９４ｂとを有している。少なくとも中央部分９３ｂ，９４ｂは、吸収体４０に重なるとともに、前レッグ弾性体９３の中央部分９３ｂと、後レッグ弾性体９４の中央部分９４ｂとが二つの交点９５を介して互いに交差している。
【００３０】
上記のように、前後レッグ弾性体９３，９４の中央部分９３ｂ，９４ｂが、吸収体４０に重なっているから、吸収体４０を着用者の身体側へと持ち上げることができ、吸収体４０に排泄物が吸収されて重くなったとしても、これが身体から離間するのを防止することができる。また、吸収体４０が身体から離間すると、着用者の腿に押し付けられてその横方向Ｘにおける見かけの寸法が小さくされる可能性があるが、吸収体４０が身体から離間するのを防止することによって、これを予防することができる。交点９５では、前後レッグ弾性体９３，９４による収縮力が集中して大きくなるから、交点９５，９６で確実に吸収体４０を着用者の肌側へと押し付けることができる。さらに、前後レッグ弾性体９３，９４は、両側縁部分９３ａ，９４ａおよび中央部分９３ｂ，９４ｂにおいて、連続して形成されているから、その収縮力が分断されることなく、より一層吸収体４０を着用者の肌側へと押し付けることが可能となる。
【００３１】
前後レッグ弾性体９３，９４の両側縁部分９３ａ，９４ａによって、シャーシ１０の両側縁１６近傍にガスケットカフ１７が形成され、レッグ開口を着用者に密着させることができる。したがって、このレッグ開口からの排泄物の漏れを予防することができる。
【００３２】
上記のようなおむつ１において、カフシート６０は３本の遠位弾性体６５によって確実に着用者の鼠蹊部またはその近傍に密着することができるとともに、前後レッグ弾性体９３，９４の中央部分９３ｂ，９４ｂによって吸収体４０が着用者側に保持されるから、より一層カフシート６０が鼠蹊部またはその近傍から離間するのを防止することができる。さらに、吸収体４０は、横方向Ｘへ連続した前後ウエスト弾性体９１，９２によってその前後端縁近傍も身体側に密着させられるので、排泄物をすばやく吸収し、漏れを防止することができるとともに、吸収体４０のずり下がりを防止し、吸収体４０のずり下がりによってカフシート６０が鼠蹊部から離間するのを防止することもできる。
【００３３】
カフシート６０は、折曲線６６によって折り畳むことによって、これらが伸展した際には、鼠蹊部に向かって起立する遠位縁部６４の横方向Ｘにおける寸法を大きくすることができる。すなわち、鼠蹊部に向かう起立寸法を大きくすることができる。遠位縁部６４の起立寸法が大きくなると、吸収体４０が着用者から大きく離間することも考えられるが、この実施形態では、前後レッグ弾性体９３,９４によって、吸収体４０を身体側へと押し付けるので、吸収体４０が着用者から大きく離間するのを予防することができる。
【００３４】
前後ウエスト弾性体９１，９２および前後レッグ弾性体９３，９４として、ストリング状またはストランド状の弾性体を用いているが、弾性を有する伸縮性繊維不織布等を用いることもできる。また、前後レッグ弾性体９３，９４の中央部分９３ｂ，９４ｂは、両側縁部分９３ａ，９４ａよりも伸張応力が強くされている。したがって、中央部分９３ｂ，９４ｂで吸収体４０に皺を形成することがなく、かつ、吸収体４０全体を身体側に押し付けることができる。前後レッグ弾性体９３，９４は、クロッチ域１３で互いに交差するようにされているが、これが交差することなく縦方向Ｙへ離間しているものであってもよい。
【００３５】
前後レッグ弾性体９３，９４の中央部分９３ｂ，９４ｂは、仮想縦中心線Ｐ−Ｐを越えて横方向Ｘに連続して延びているが、これらが仮想縦中心線Ｐ−Ｐ近傍で分断されていてもよい。この場合には、中央部分９３ｂ，９４ｂの端部が、遠位縁部６４を越えて、その横方向Ｘ内側にまで延在されるようにすることが好ましい。遠位縁部６４に前後レッグ弾性体９３，９４が重なることによって、遠位縁部６４を着用者の肌へと押し付けて肌に密着させることができる。また、前後ウエスト弾性体９１，９２は、吸収体４０に重なるように取り付けられているが、いずれか一方のみが吸収体４０に重なるようにされているものであってもよい。
【００３６】
この実施形態において、第１接合部８１は吸収体４０の横方向Ｘの外側に位置し、吸収体４０とは重ならないようにされているが、このような構成のおむつ１は、例えば、低月齢の乳幼児に好適に用いることができる。低月齢の乳幼児は、便が柔らかく、カフシート６０と身体側ライナ５０との間に形成されるポケットを大きくすることによって、軟便を十分に保持することができる。また、第１接合部８１が吸収体４０に重なる位置で形成されるようにすることもできる。この場合のおむつは、例えば、高月齢の幼児に対して好適に用いることができる。
【００３７】
以上に記載したこの発明に関する開示は、少なくとも下記事項に要約することができる。
この発明は、以下の使い捨て着用物品１の改良にかかわる。使い捨て着用物品１は、縦方向Ｙおよび横方向Ｘを有し、肌対向面およびその反対側である非肌対向面と、前後ウエスト域１１，１２と、これら前後ウエスト域１１，１２間に位置するクロッチ域１３と、前記横方向Ｘにおける寸法を二等分する仮想縦中心線Ｐ−Ｐとを有するシャーシ１０と、少なくとも前記クロッチ域１３に位置する体液吸収体４０と、前記シャーシ１０の前記肌対向面に位置し前記横方向Ｘへ離間して取り付けられた一対のカフシート６０と、前記シャーシ１０の両側縁１６に沿って取り付けられたレッグ弾性体９３，９４とを含む。
【００３８】
この発明は、上記使い捨て着用物品１において、以下の点を特徴とする。
前記カフシート６０は、前記シャーシ１０に接合された近位縁部６３と、前記シャーシ１０から離間可能にされた遠位縁部６４と、前記近位縁部６３と前記遠位縁部６４との間に位置し前記縦方向Ｙへ延びる仮想折曲線６６とを有する。
前記近位縁部６３は、前記縦方向Ｙへ連続して延びる第１接合部８１と、前記第１接合部８１よりも前記横方向Ｘ内側へ位置し前記カフシート６０の前後端縁６１，６２に沿って形成されるとともに、前記縦方向Ｙへ離間された第２接合部８２，８３とによって、前記シャーシ１０に接合される。
前記遠位縁部６４は、前記第２接合部８２，８３に重なって位置するとともに前記縦方向Ｙへ離間された第３接合部８４によって前記近位縁部６３に接合され、前記第３接合部８４の前記縦方向Ｙ間には、少なくとも３本の遠位弾性体６５が前記縦方向Ｙへ延びるとともに伸長状態で収縮可能に取り付けられる。
前記第２および第３接合部８２，８３，８４の少なくとも一部は、前記吸収体４０に重なって形成される。
前記レッグ弾性体９３，９４は、前記シャーシ１０の両側縁１６に沿って延びる両側縁部分９３ａ，９４ａと、前記両側縁部分９３ａ，９４ａの間を前記横方向Ｘへ延びる中央部分９３ｂ，９４ｂとを有し、前記中央部分９３ｂ，９４ｂは、前記吸収体４０に重なるとともに、前記遠位縁部６４よりも前記横方向Ｘ内側に延在する。
前記前後ウエスト域１１，１２には、前記横方向Ｘへ延びるウエスト弾性体９１，９２が伸長状態で収縮可能に取り付けられる。
前記吸収体４０は、前記クロッチ域１３から前記前後ウエスト域１１，１２へ延びるとともに、前記ウエスト弾性体９１，９２に重なる。
【００３９】
上記の発明は、少なくとも下記の実施の形態を含むことができる。
（１）前記レッグ弾性体９３，９４は、前記中央部分９３ｂ，９４ｂが前記仮想縦中心線Ｐ−Ｐを横切って前記横方向Ｘに連続して延びる。
（２）前記遠位弾性体６５は、前記カフシート６０によって形成されたスリーブ内に取り付けられる。
（３）前記レッグ弾性体は、前記前ウエスト域１１から前記クロッチ域１３へ向かって延びる前レッグ弾性体９３と、前記後ウエスト域１２から前記クロッチ域１３へ向かって延びる後レッグ弾性体９４とを含む。
（４）前記前レッグ弾性体９３と、前記後レッグ弾性体９４とは、前記クロッチ域１３において、互いに交差する。
（５）前記ウエスト弾性体９１，９２は、前記横方向Ｘへ連続して延びるとともに、前記吸収体４０の非肌対向面に重なって取り付けられる。
（６）前記シャーシ１０は、前記非肌対向面に位置する裏面シート３０と、前記吸収体４０の前記裏面シート３０に対向する面とは反対の面に積層される身体側ライナ５０とを含む。
（７）前記カフシート６０は、前記身体側ライナ５０に接合される。
（８）前記肌対向面には、中央に開口部２１が形成されたカバーシート２０が配置され、前記カフシート６０は、その一部が前記開口部２１から露出する。
【００４０】
使い捨て着用物品の一例である使い捨ておむつ１を構成する各構成部材には、この明細書に記載されている材料のほかに、この種の分野において通常用いられている、各種の公知の材料を制限なく用いることができる。また、この発明の明細書において、用語「第１」「第２」および「第３」は、同様の要素、位置等を単に区別するために用いられている。
【符号の説明】
【００４１】
１    使い捨て着用物品（使い捨ておむつ）
１０    シャーシ
１１    前ウエスト域
１２    後ウエスト域
１３    クロッチ域
１６    両側縁
２０    カバーシート
２１    開口部
３０    裏面シート
４０    吸収体
５０    身体側ライナ
６０    カフシート
６１    前端縁
６２    後端縁
６３    近位縁部
６４    遠位縁部
６５    遠位弾性体
６６    折曲線
８１    第１接合部
８２    第２前接合部（第２接合部）
８３    第２後接合部（第２接合部）
８４    第３接合部
９１    前ウエスト弾性体
９２    後ウエスト弾性体
９３    前レッグ弾性体
９３ａ  両側縁部分
９３ｂ  中央部分
９４    後レッグ弾性体
９４ａ  両側縁部分
９４ｂ  中央部分
Ｘ    横方向
Ｙ    縦方向
Ｐ−Ｐ  仮想縦中心線
【図１】
2013081718.tif 000003
【図２】
2013081718.tif 000004
【図３】
2013081718.tif 000005
【図４】
2013081718.tif 000006
【図５】
2013081718.tif 000007
【図６】
2013081718.tif 000008
【図７】
2013081718.tif 000009